(57)【要約】      （修正有）【課題】スタイリング表面を均一に加熱することができ、騒音を低減することができるヘアケアまたはヘアスタイリング装置を提供する。【解決手段】関節式に配置されている２つのアーム５、５．１を備え、互いに対向する表側がスタイリング表面９、９．１であり、開閉可能であるヘアスタイリング空間１０を形成する。アーム５、５．１の流路１１、１１．１を通って導かれる熱風の流れがスタイリング表面９、９．１を形成する構成要素８、８．１の裏側に沿って流れることにより、スタイリング表面９、９．１が加熱される。さらに、正の温度係数を有する少なくとも１つの自己制御加熱要素（ＰＴＣ加熱要素１３、１３．１）が追加の加熱装置として接続されることで、スタイリング表面は一定で均一な温度を有するとともに、搬送する熱風の量を低減することができて、作動音を低減する。【選択図】図１
2013099531.tif 000002
【特許請求の範囲】
【請求項１】
トング（５、５．１）のように互いに関節接続しかつ互いに対して可動に配置される２つのアームであり、互いに対向する各々の表側が、スタイリング表面（９、９．１）の間にヘアスタイリング空間（１０）を形成する相補的なスタイリング表面（９、９．１）を有する前記２つのアーム（５、５．１）を備えるヘアケアまたはヘアスタイリング装置であって、前記アーム（５、５．１）の関節式配置により、ヘアスタイリング空間（１０）が開閉可能であり、前記アーム（５、５．１）各々が熱風の流れを導く流路（１１、１１．１）を備えており、前記アーム（５、５．１）の前記流路（１１、１１．１）を通り導かれる熱風の流れが、前記スタイリング表面（９、９．１）を加熱する目的で前記スタイリング表面（９、９．１）を形成する前記構成要素（８、８．１）の裏側に沿って流れるように、各アーム（５、５．１）のスタイリング表面（９、９．１）を形成する構成要素（８、８．１）が配置されており、熱伝導構成において、前記スタイリング表面（９、９．１）に熱を供給する目的で、正の温度係数を有する少なくとも１つの自己制御加熱要素−ＰＴＣ加熱要素（１３、３．１）−が、少なくとも１つのアーム（５、５．１）の前記スタイリング表面（９、９．１）を形成する前記構成要素（８、８．１）に追加の加熱装置として接続されることを特徴とするヘアケアまたはヘアスタイリング装置。
【請求項２】
前記加熱要素（１３、１３．１）が、前記スタイリング表面（９、９．１）を形成する前記構成要素（８、８．１）の裏側に接着されていることを特徴とする、請求項１に記載のヘアケアまたはヘアスタイリング装置。
【請求項３】
前記装置の前記アーム（５、５．１）が異なる容積を有し、前記加熱要素（１３、１３．１）が小さい方のアーム（５．１）の前記スタイリング表面（９、９．１）を形成する構成要素（８、８．１）に割り当てられることを特徴とする、請求項１または２に記載のヘアケアまたはヘアスタイリング装置。
【請求項４】
前記スタイリング表面（９、９．１）を形成する両アーム（５、５．１）の前記構成要素（８、８．１）が各々ＰＴＣ加熱要素（１３、１３．１）を備えていることを特徴とする、請求項１〜３のいずれか一項に記載のヘアケアまたはヘアスタイリング装置。
【請求項５】
前記流路（１１、１１．１）が前記アーム（５、５．１）の非取付端の領域に開口部（１２、１２．１）を有し、前記装置の使用中に前記アームの開口部から熱風流れが完全にまたは部分的に流れることを特徴とする、請求項１〜４のいずれか一項に記載のヘアケアまたはヘアスタイリング装置。
【請求項６】
前記装置が熱風の流れを提供する装置の一部であることを特徴とする、請求項１〜５のいずれか一項に記載のヘアケアまたはヘアスタイリング装置。
【請求項７】
前記装置（１）が熱風の流れを提供する装置、例えばエアスタイラー（２）に接続する取付具として具体化されることを特徴とする、請求項１〜５のいずれか一項に記載のヘアケアまたはヘアスタイリング装置。
【請求項８】
スタイリングする毛髪と接触させる少なくとも１つのスタイリング要素を有し、前記スタイリング要素を加熱するため前記スタイリング要素に沿っておよび／または前記スタイリング要素を通り導かれる、スタイリング要素を加熱するための熱風の流れを発生させるヘアケアまたはヘアスタイリング装置の作動方法であって、装置を作動させると前記スタイリング要素が１つまたは複数の自己制御加熱要素により追加的に加熱されることを特徴とする、ヘアケアまたはヘアスタイリング装置の作動方法。
【請求項９】
前記スタイリング要素を加熱する目的で、両熱源を同時に使用することを特徴とする方法であって、前記スタイリング要素を所定の温度レベルに加熱する温度に前記熱風流れを加熱し、少なくとも１つの追加の電気加熱要素により前記スタイリング要素の温度変動を実質的に均衡化する、請求項８に記載の方法。
【請求項１０】
前記スタイリング要素を加熱する目的で、両熱源を同時に使用することを特徴とする方法であって、前記スタイリング要素を所定の温度レベルに加熱する温度に前記熱風流れを加熱し、ピーク温度を達成する目的で、前記少なくとも１つの追加の加熱要素を稼働させる、請求項８に記載の方法。
【発明の詳細な説明】
【技術分野】
【０００１】
本発明は、トングのように互いに関節接続しかつ互いに対して可動に配置される２つのアームを備え、前記アーム各々の表側がスタイリング表面の間にヘアスタイリング空間を形成する相補的なスタイリング表面を有し、アームの関節式配置により、ヘアスタイリング空間が開閉可能であり、前記アーム各々が熱風の流れを導く流路を備え、前記アームの流路を通り導かれる熱風の流れが、前記スタイリング表面を加熱する目的でスタイリング表面を形成する構成要素の裏側に沿って流れるように、各アームのスタイリング表面を形成する構成要素が配置されるヘアケアまたはヘアスタイリング装置に関する。
【０００２】
本発明はさらに、スタイリングする毛髪と接触させる少なくとも１つのスタイリング要素を備え、前記スタイリング要素を加熱する目的で前記要素に沿っておよび／またはこれを通り導かれる、スタイリング要素を加熱するための熱風の流れを発生させるヘアケアまたはヘアスタイリング装置の作動方法に関する。
【背景技術】
【０００３】
各種ヘアスタイリング装置、または熱風の流れを発生させる手持ち式手動装置（いわゆるエアスタイラー）を、ヘアスタイリング用の各種ヘアスタイリング取付具と共に用いる。髪を滑らかにするまたはカールさせるため、トングのように互いに関節接続しかつ互いに対して可動である２つのアームを備える、ヘアスタイリング取付具を使用する。これらのアームの互いに対向する側面間にスタイリングする髪を受けるヘアスタイリング空間が設けられる。アームの対向する側面各々はスタイリング表面を備える。前記表面は、いわゆるストレートナーとして設計されるヘアスタイリング取付具において設けられる。カールを作るための波形のスタイリング表面を有するヘアスタイリング取付具も知られている。２つのアームのスタイリング表面はそれらの形の点で相補的なものとして設計されている。
【０００４】
典型的には、２つの可動アームを有するヘアスタイリング取付具ではそれらのアームを通り空気が流れる。この種の装置では以下が想定されている。取付具に流れ込む空気の流れ発生させる装置により提供する熱風の流れと共に、ヘアスタイリング処理に必要な熱を髪に搬送する。このため、２つのアームの少なくとも１つは、装置の送風機により提供する空気の流れを搬送するための流路を有し、スタイリング表面の領域に空気を供給し、それによりスタイリングする髪に空気を供給するため、前記流路が前記アームのスタイリング表面における空気吹出開口部に開口している。同時に、供給空気によりスタイリングする髪（大抵の場合は湿気を帯びている）を乾燥させる。別の実施形態によると、発生させた熱風の流れが２つのアームのうち一方の流路を通って流れ、かつスタイリング表面を形成する構成要素の裏側に沿って流れる。かかる構成要素は典型的には金属板、例えば、アルミニウム板である。前記板は裏側に沿って流れる熱風の流れにより加熱される。空気の流れが通り流出可能である１つまたは複数の吹出開口部が適切な位置、例えば、非取付端の領域に位置している。
【０００５】
スタイリング表面の設計次第では、かなりの量の熱を加える必要がある。そして、このためには、取付具として接続されるかかる装置、すなわち、エアスタイラーの熱風送風機が頻繁に全出力で作動する必要がある。原則的に、前記装置はこの目的で設計されているので、装置に関してこれは全く問題ない。しかしながら、結果的に生み出される騒音の大きさから煩わしいと感じられる場合もある。
【０００６】
意図した通りに髪をスタイリングするため、髪に一定量の熱を加えなければならない。しかしながら、ストレートナーがエアスタイラーに取り付けられるとき、ストレートナーの扱い方次第では、２つのアームに不均一な量の熱風流れが供給されるので、異なる熱量が加えられることが起こり得る。結果的に、ヘアスタイリング空間の境界となる２つのスタイリング表面に温度差が生じ得る。これは望ましくない。
【０００７】
上で述べたヘアスタイリング取付具に加えて、ヘアスタイリング表面を形成する構成要素を電気加熱要素で加熱するストレートナーも知られている。前記表面はスタイリング表面を形成する構成要素の裏側に直接取り付けられる。スタイリング表面を支持する構成要素をそのように加熱することで、スタイリング表面に温度差が生じないようにする。しかしながら、この種の装置を、例えば、取付具としてエアスタイラーと併用することはできない。かかるヘアスタイリング装置は特開２００４−２６７７８７号公報で知られている。
【発明の概要】
【発明が解決しようとする課題】
【０００８】
したがって、上記の従来技術を考慮すると、本発明が取り組む課題は、スタイリング表面を均一に加熱することができ、かつ投入熱量を損なわずに、かかる装置により生み出される騒音を低減することができるようなヘアケアまたはヘアスタイリング装置および／またはかかる装置の作動方法をさらに開発することである。
【課題を解決するための手段】
【０００９】
熱伝導構成において、スタイリング表面に熱を供給する目的で、正の温度係数を有する少なくとも１つの自己制御加熱要素−ＰＴＣ加熱要素−が少なくとも１つのアームのスタイリング表面を形成する構成要素に追加の加熱装置として接続される、導入部に明記した、汎用ヘアケアまたはヘアスタイリング装置による本発明によりこの課題を解決する。
【００１０】
請求項８の特徴を有する方法による本発明により処理関連の課題を解決する。
【００１１】
このヘアケアまたはヘアスタイリング装置を用いて、スタイリング要素を加熱する、つまり：スタイリング表面、または少なくとも１つのアームのスタイリング表面を形成および／または支持する構成要素を、熱風の流れおよびＰＴＣ加熱要素の両方で加熱する。したがって、前記アームを通り流れる空気の流れの温度変動および／または、例えば、流量を変化させた結果としての導入熱量の変動を、ＰＴＣ加熱要素による自己制御方式で補正することができる。典型的には、この種のヘアケアまたはヘアスタイリング装置は、スタイリング表面を支持する構成要素の前記表面を熱風の流れにより所望の温度に加熱するように設計されている。かかる実施形態において、好ましくは、ＰＴＣ加熱要素は、ＰＴＣ加熱要素が接続される構成要素が所望の温度であるときには、熱を生み出さないように設計されている。スタイリング表面を形成する構成要素の温度が低下する場合、熱を空気の流れで提供するのではなく、正の温度係数によりＰＴＣ加熱要素で提供する。この場合、目標温度と構成要素の実際の温度との差が大きいほど、ＰＴＣ加熱要素により投入される対応電力が大きくなり、それに応じてより多くの熱が提供されることが理解されたい。上で述べた対策の結果として、互いに関節接続するアームを有するかかるヘアケアまたはヘアスタイリング装置では、前記アームが加熱性能の損失を被ることなく異なる容積を有し得る。
【００１２】
かかる装置を作動させるとき、典型的には、スタイリング表面を支持する構成要素を加熱するために両熱源−熱風流れおよびＰＴＣ加熱要素−を使用する。その結果、スタイリング表面をわずかな時間で使用温度に加熱することができる。熱風流れによりスタイリング表面を第１の温度レベル、典型的には、第１のヘアケア工程を実施することができる温度レベル、に加熱するために、上で述べた２つの熱源の特別な組み合わせを用いることもできる。より高温で実施することになる別のヘアケア工程を計画する場合は、この目的で１つまたは複数の追加の加熱要素を使用することができる。スタイリング表面が第１の温度レベルに準ずる温度を有するときは、正の温度係数により、前記要素を稼働させない。同様に、スタイリング表面を予熱するためにこれらの追加の電気加熱要素を使用することができるが、その場合には、これらの加熱要素は第１加熱段階にのみスイッチが入った状態である。異なる正の温度係数を有する少なくとも２つの加熱要素を、スタイリング表面を形成する構成要素に接続する実施形態も可能である。それから、スタイリング表面を加熱することになる温度レベル次第では、一方または他方の加熱要素を稼働させることが可能である。
【００１３】
装置の作動中に両熱源−熱風流れおよび１つまたは複数の電気加熱要素−を稼働させる実施形態の場合、周囲空気温度の毛髪をヘアスタイリング空間に配置し、毛髪がスタイリング表面を形成する構成要素から熱を奪うとき、かかるＰＴＣ加熱要素の迅速な応答により前記要素で加熱するスタイリング表面が迅速に再加熱される。この点で、このように補助的に加熱したスタイリング表面からケアまたはスタイリングする髪への熱の流れがかなり改善される。
【００１４】
現在のところ、正の温度係数により、原則的に、この種の加熱要素を制御するための追加対策は必要ないことが強調されるべきである。
【００１５】
ある特定の実施例では、２つのアームのスタイリング表面を形成する構成要素は各々少なくとも１つのかかるＰＴＣ加熱要素を備えている。これらの装置であれば、原則的に、熱風流れ部分およびＰＴＣ加熱要素の熱部分より混合熱を提供することができる。これらの加熱要素の自己制御特性の結果として、ヘアスタイリング表面は極めて一定で均一な温度を有する。加えて、既知の装置と比較して搬送する熱風の量を低減することができるが、これには作動音を低減するプラスの効果がある。
【００１６】
この種のヘアケアまたはスタイリング装置は、熱風の流れを供給する装置に不可欠な構成要素であり得る。別の実施形態によると、ヘアケアまたはヘアスタイリング装置は、熱風の流れを供給する装置、例えば、エアスタイラーに取り付けられる取付具として設計されることになる。
【００１７】
上で述べた設計から、異なる加熱機構を巧みに組み合わせることで、既知の装置に比べてかなりの利点を有するヘアケアまたはヘアスタイリング装置が生み出されることが明らかである。結局のところ、かかる装置であれば、スタイリング表面を形成する構成要素を加熱するために熱風の流れを利用できるだけでなく、スタイリング処理と同時に髪を乾燥させるため、ケアまたはスタイリングする髪に前記熱風流れを導入することも可能である。かかる実施形態であれば、典型的には、スタイリング表面を形成する構成要素が開口部を有するが、熱風の流れが構成要素を経てこの開口部を通りスタイリングまたはケアする髪に届く。ヘアスタイリングまたはヘアケアを支援する追加物質の搬送手段として熱風を髪へ導入するために、熱風流れを使用することもできる。例えば、これらは香りまたはヘアケア製品であるかもしれない。イオン化電極より放出するイオンをスタイリングする髪に搬送するために空気の流れを使用することもでき、それによりヘアスタイリング処理を支援する。
【図面の簡単な説明】
【００１８】
【図１】ヘアケアまたはヘアスタイリング装置の一実施例の概略的縦断面図である。
【発明を実施するための形態】
【００１９】
以下において、添付の図１を参照しながら実施例との関連の範囲内で本発明を説明する。図１は、いわゆるストレートナー１をヘアケアまたはヘアスタイリング装置の例として概略的な縦断面図で示す。図で示した実施例のストレートナー１は、熱風の流れを提供する装置−エアスタイラー２−への取り付けを可能にする取付具として設計されている。このため、ストレートナー１は、連結部３（エアスタイラーの前方開口部４に挿入し、所定位置に係止することができる）を備える。例えば、差し込み／回転係止（バヨネットロック）方式で、係止を行うことができる。図１では、ストレートナー１をエアスタイラー２から離して示してある。
【００２０】
ストレートナー自体は、トングのように関節接続して互いに連結する２つのアーム５、５．１を備える。互いに関係する２つのアーム５、５．１の回転軸は参照符号６で識別される。２つのアーム５、５．１は大きさが異なり、それゆえ容積が異なる。図示の実施例では、アーム５は連結部３を支持するので、最終的にはアーム５．１はアーム５に関節接続される。アーム５．１に作動レバー７が配置されるが、この作動レバーにより、回転軸６を中心にアーム５に対してアーム５．１をはさみのように動かすことができる。図１では視認できないが、作動レバー７はまたストレートナーの後側の回転軸６に戻る。
【００２１】
２つのアーム５、５．１各々はアルミニウム板８、８．１を備えている。アルミニウム板８、８．１は、２つのアーム５、５．１の互いに対向する側面に配置される。互いに対向するアルミニウム板８、８．１の表面９、９．１は、ストレートナー１のスタイリング表面を形成する。スタイリング表面９、９．１間にヘアスタイリング空間１０が生じる。この点で、アルミニウム板８、８．１は、スタイリング表面９および９．１を形成および／または支持するストレートナー１の構成要素を形成する。
【００２２】
アーム５、５．１は中空であり、また各々流路１１、１１．１を備えている。アルミニウム板８、８．１各々の裏側はそれぞれ流路１１および１１．１の境界線を形成する。ストレートナー１を取り付けた状態でエアスタイラー２を作動させるとき、流路１１および１１．１を通り流れる熱風の流れが、それぞれアルミニウム板８および８．１の裏側に沿って流れ、それによりアルミニウム板を加熱する。開口部１２、１２．１がアーム５、５．１各々の非取付端の領域に位置しているが、その開口部から各流路１１または１１．１を通り導かれる熱風の流れが流出する。開口部はまた、典型的には、網目のように配置される個々の貫通開口部を備える。
【００２３】
図示の実施例では、ＰＴＣ加熱要素１３、１３．１は各アルミニウム板８、８．１の裏側（それぞれ流路１１または１１．１に突き出る）に配置されるが、典型的には、接着される。したがって、各ＰＴＣ加熱要素１３、１３．１で発生させた熱は、各アルミニウム板８または８．１に導入され、それにより次に各スタイリング表面９または９．１を加熱する。ＰＴＣ加熱要素１３、１３．１は、アルミニウム板８、８．１の裏側表面のほんの一部分にわたって延びる。取付具として設計されたストレートナー１をエアスタイラー２に取り付けるとき、ＰＴＣ加熱要素１３、１３．１を電源に接続するため、互いに係合させる相補的なプラグ型コネクタ部１４、１４．１を使用する。マルチプラグ型コネクタ部１４、１４．１のうち１つのみを図示している。分かり易くするために、図１には電気的接続線も示していない。
【００２４】
別の実施形態によると、アルミニウム板８、８．１各々の裏側は、例えば、その上にリブが形成される、各スタイリング表面９または９．１を支持する構成要素として構築される。この対策により熱を受け取る構成要素８、８．１の表面が拡大される。かかる実施形態であれば、ＰＴＣ加熱要素をリブ間に位置する１つまたは複数の溝に配置することができる。
【００２５】
２つのアームが流路の異なる流れ断面を有する、図示しないストレートナー取付具の実施例では、ＰＴＣ加熱要素はその流れ断面に関して小さい方のアームにのみ割り当てられる。かかる実施形態においては、加熱システムの安定性も既知の装置に比べて改善される。
【００２６】
ストレートナー１の作動中、エアスタイラー２を通り提供される熱風の流れは連結部３に導かれ、さらにそこからアーム５、５．１の流路１１、１１．１に導かれる。典型的には、その流れが、ＰＴＣ加熱要素１３、１３．１を通る流れと同時に、エアスタイラー２の加熱装置および送風機を通り導かれる。したがって、熱風の流れが自然に流路１１、１１．１を通り流れるが、この場合も同様に、追加対策を実施しない場合は、アルミニウム板のスタイリング表面９、９．１が指定のスタイリング温度に達するよう十分にアルミニウム板８、８．１を加熱するのに恐らくある程度の時間がかかる。正の温度係数によりストレートナー１を作動させるとき、ＰＴＣ加熱要素の記載した実施例では大量の熱を生み出すので加熱処理をかなり短縮する。それゆえ、スタイリング表面９、９．１がストレートナー１を作動させてからほんの数秒で使用温度になる。
【００２７】
図で示した実施例のストレートナー１は、アルミニウム板８、８．１またはそれらのスタイリング表面９、９．１を、熱風の流れおよびＰＴＣ加熱要素１３または１３．１の両方で加熱するように設計されている。このため、エアスタイラー２またはそれに組み込まれた送風機を比較的低速で作動させることができ、結果的に、スタイリング表面を加熱するために熱風の流れを使用する既知のストレートナーに比べて、ストレートナー１が発生させる雑音をかなり低減する。
【００２８】
したがって、特にこれらの熱源の１つ、具体的にはＰＴＣ加熱要素が自己制御型である点において、２つの熱源−熱風流れおよびＰＴＣ加熱要素−は特別な方法で相互に補完し合う。
【００２９】
言うまでもないが、この種の実施形態であれば、小さい方のアームにおける熱源として熱風流れを使用する従来の装置に見られるような、温度低下の可能性は生じない。
【００３０】
空気が流れるブラシ、櫛、回転ブラシまたはカーリングアイロンなどで、ヘアケアまたはヘアスタイリングのために熱風を使用するその他の空気加熱装置または取付具において同じように、実施例に関して上で述べた発明を実施することができる。これらの応用においても、記載した実施例のストレートナーに関して述べたのと同じ利点が得られる。
【符号の説明】
【００３１】
１  ストレートナー
２  エアスタイラー
３  連結部
４  開口部
５、５．１  アーム
６  回転軸
７  作動レバー
８、８．１  アルミニウム板
９、９．１  スタイリング表面
１０  ヘアスタイリング空間
１１、１１．１  流路
１２、１２．１  開口部
１３、１３．１  ＰＴＣ加熱要素
１４、１４．１  プラグ型コネクタ要素
【図１】
2013099531.tif 000003
【外国語明細書】
2013099531000001.pdf
2013099531000002.pdf
2013099531000003.pdf
2013099531000004.pdf